(57)【特許請求の範囲】
【請求項１】
用紙におけるロール状に巻回されたロール部の外周部に当接し、前記ロール部の回転に連れ回りするローラと、
前記ローラよりも下方の位置で水平方向に対して傾斜していて前記外周部に下方から当接し前記外周部を前記ローラに当接させる傾斜部を含み、前記ローラから下方へ送られる前記用紙のたるみ部を収納可能な基体部と、
前記ロール部から前記用紙が引き出されるときの前記ローラの連れ回りの回転方向へ、前記ローラを回転させる駆動部と、
前記基体部の上方を覆う閉位置と前記基体部を開放する開位置との間で移動可能な蓋部と、
を備え、
前記駆動部は、
前記基体部に設けられ、前記ローラが固定された支軸に固定された第１のギヤと、
前記基体部に設けられ、前記第１のギヤと噛み合う噛合位置と前記第１のギヤから離間した離間位置との間で移動可能な第２のギヤと、
前記第２のギヤに設けられた当接部と、
前記基体部に設けられ、前記離間位置から前記噛合位置へ向かう方向に前記第２のギヤを付勢する付勢部材と、
前記蓋部に設けられ、前記蓋部の閉動作に伴い前記付勢部材の付勢力に抗して前記当接部を押して前記第１のギヤを前記噛合位置から前記離間位置へ移動させる押部材と、
を備え、前記閉位置へ向かう前記蓋部の閉運動に連動して前記回転方向へ前記ローラを回転させる、用紙収納装置。
【請求項２】
前記駆動部は、前記蓋部の閉運動を前記ローラの前記回転方向への回転運動に変換する請求項１に記載の用紙収納装置。
【請求項３】
請求項１または２に記載の用紙収納装置と、
前記用紙収納装置から引き出された前記用紙に印字を行う印字部と、
を備えたプリンタ。
【発明の詳細な説明】
【技術分野】
【０００１】
本発明の実施形態は、用紙収納装置およびプリンタに関する。
【背景技術】
【０００２】
従来、用紙収納装置に収納した用紙のロール部から用紙を引き出して、引き出した用紙に印字を行うプリンタが知られている。
【発明の概要】
【発明が解決しようとする課題】
【０００３】
このようなプリンタでは、用紙にたるみが発生すると用紙ジャムが起こるおそれがある。
【課題を解決するための手段】
【０００４】
実施形態の用紙収納装置は、ローラと、基体部と、駆動部と、蓋部と、を備えた。前記ローラは、用紙におけるロール状に巻回されたロール部の外周部に当接し、前記ロール部の回転に連れ回りする。前記基体部は、前記ローラよりも下方の位置で水平方向に対して傾斜していて前記外周部に下方から当接し前記外周部を前記ローラに当接させる傾斜部を含み、前記ローラから下方へ送られる前記用紙のたるみ部を収納可能である。前記駆動部は、前記ロール部から前記用紙が引き出されるときの前記ローラの連れ回りの回転方向へ、前記ローラを回転させる。前記蓋部は、前記基体部の上方を覆う閉位置と前記基体部を開放する開位置との間で移動可能である。前記駆動部は、前記基体部に設けられ、前記ローラが固定された支軸に固定された第１のギヤと、前記基体部に設けられ、前記第１のギヤと噛み合う噛合位置と前記第１のギヤから離間した離間位置との間で移動可能な第２のギヤと、前記第２のギヤに設けられた当接部と、前記基体部に設けられ、前記離間位置から前記噛合位置へ向かう方向に前記第２のギヤを付勢する付勢部材と、前記蓋部に設けられ、前記蓋部の閉動作に伴い前記付勢部材の付勢力に抗して前記当接部を押して前記第１のギヤを前記噛合位置から前記離間位置へ移動させる押部材と、を備え、前記閉位置へ向かう前記蓋部の閉運動に連動して前記回転方向へ前記ローラを回転させる。
【図面の簡単な説明】
【０００５】
【図１】図１は、第１の実施形態にかかるプリンタを示す図であって、蓋部が閉じた状態を示す斜視図である。
【図２】図２は、第１の実施形態にかかるプリンタを示す図であって、蓋部が開いた状態を示す斜視図である。
【図３】図３は、第１の実施形態にかかるプリンタを示す図であって、蓋部が開いた状態を示す斜視図である。
【図４】図４は、第１の実施形態にかかる用紙収納部を示す斜視図である。
【図５】図５は、第１の実施形態にかかる用紙収納部を示す縦断側面図である。
【図６】図６は、第１の実施形態にかかるローラを示す斜視図である。
【図７】図７は、第１の実施形態にかかるローラを示す側面図である。
【図８】図８は、第１の実施形態にかかるローラおよび駆動部を示す背面図である。
【図９−１】図９−１は、第１の実施形態にかかる駆動部を示す側面図である。
【図９−２】図９−２は、第１の実施形態にかかる駆動部を示す側面図である。
【図１０−１】図１０−１は、第１の実施形態にかかる用紙収納装置の一部を示す縦断側面図であって、用紙にたるみが生じた状態を示す図である。
【図１０−２】図１０−２は、第１の実施形態にかかる用紙収納装置の一部を示す縦断側面図であって、用紙のたるみが空間に収納された状態を示す図である。
【図１１−１】図１１−１は、第２の実施形態にかかる駆動部を示す側面図である。
【図１１−２】図１１−２は、第２の実施形態にかかる駆動部を示す側面図である。
【図１２】図１２は、第３の実施形態にかかる駆動部を示す側面図である。
【図１３】図１３は、第４の実施形態にかかるローラを示す側面図である。
【発明を実施するための形態】
【０００６】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。また、各図では、便宜上、プリンタ１の基部１０の前後方向での後方をＸ方向、プリンタ１の基部１０の幅方向をＹ方向、プリンタ１の基部１０の高さ方向（上下方向の上方）をＺ方向と記す。これらＸ方向、Ｙ方向、およびＺ方向は相互に直交している。
【０００７】
（第１の実施形態）
図１に示すように、プリンタ１は、基部１０と、蓋部１１と、を有している。プリンタ１は、基部１０に設けられたバッテリ（図示せず）を電源として動作する。
【０００８】
図２および図３に示すように、基部１０は、上面開口の略直方体状に形成されている。基部１０は、左右の幅方向よりも前後方向の方が長く形成されている。基部１０は、収納した用紙１００を支持する。一方、蓋部１１は、図１に示すように、側面視で略三角形状に形成されている。蓋部１１は、ヒンジ部１２（図２）によって基部１０に回動可能に連結されている。詳しくは、蓋部１１は、基部１０の上部に配置され基部１０の上部を覆う閉位置（図１）と、基部１０の上部を露出させる開位置（図２，３）との間で回動可能（移動可能）に基部１０に連結されている。閉位置では、蓋部１１は、後述する用紙収納部１５の上方を覆う。開位置では、蓋部１１は、用紙収納部１５を開放する。プリンタ１には開閉ロック部５０が設けられており、開閉ロック部５０が、閉位置に位置する蓋部１１を基部１０に対して解除可能にロックする。開閉ロック部５０は、蓋部１１に設けられたフック５０ａと、基部１０に設けられた係合部とを有しており、フック５０ａが係合部に係脱することでロックおよびロック解除を行う。また、プリンタ１の前面（正面）１０ａにおける基部１０と蓋部１１との間には、用紙１００を排出する排紙口１０ｂが設けられている。
【０００９】
ここで、本実施形態のプリンタ１で使用される用紙１００は、図２に示すように、長尺状（帯状）に形成されてロール状に巻回されている。用紙１００は、詳細には、ロール状に巻回されたロール部１００ａを有している。用紙１００は、一例として感熱紙であり、ロール部１００ａから引き出された引出部（展開部）１００ｂ（図５参照）に印字がなされる。用紙１００は、一例として、印字面が外側を向いた外巻き用紙が用いられる。また、本実施形態では、用紙１００には、ミシン目（切り込み部）１００ｃが設けられている。ミシン目１００ｃは、用紙１００の長手方向に沿って相互に間隔をあけて複数設けられている（図２では一つだけが示されている）。用紙１００は、ミシン目１００ｃで切断可能となっている。用紙１００は、一例として、所定事項が印字されてチケットとして発行される。
【００１０】
図３に示すように、基部１０は、上面開口の略箱状の第１の筐体１４を有しており、第１の筐体１４に、用紙収納部１５、プラテンローラ１６、下部用紙ガイド１７等が設けられている。一方、蓋部１１は、第２の筐体１８を有しており、第２の筐体１８にタッチパネル付きディスプレイ１９（図１参照）、印字ヘッド２０、上部用紙ガイド２１、ダンパ２２等が設けられている。蓋部１１が閉位置に位置付けられた状態では、印字ヘッド２０とプラテンローラ１６とが対向する。蓋部１１が開位置に位置付けられた状態では、印字ヘッド２０とプラテンローラ１６との間が開放される。下部用紙ガイド１７と上部用紙ガイド２１とは、用紙を案内するものであって、下部用紙ガイド１７と上部用紙ガイド２１との間は、用紙収納部１５から排紙口１０ｂへ至る用紙搬送経路の一部となっている。
【００１１】
蓋部１１は、開状態とされることで用紙収納部１５の上方を開放する。蓋部１１の後端部は上方に凸状の湾曲状（円弧状）をなしている。蓋部１１の後端部は、当該蓋部１１が閉じられた状態で用紙収納部１５を上方から覆う。
【００１２】
用紙収納部１５は、第１の筐体１４の後端部に設けられている。用紙収納部１５は、プリンタ１に対して用紙収納部１５を着脱可能であってもよいし、第１の筐体１４に一体に設けられていてもよい。用紙収納部１５は、用紙投げ込み式であり、収納した用紙１００のロール部１００ａの外周部１００ｄを支持する。用紙収納部１５は、用紙１００を回転可能に支持しており、これにより、プラテンローラ１６による用紙１００の引き出しが可能となっている。用紙収納部１５は、蓋部１１および第１の筐体１４とともに、用紙収納装置５１を構成している。
【００１３】
プラテンローラ１６は、歯車等で構成される動力伝達機構を介して駆動源であるモータに連結されている。プラテンローラ１６は、印字ヘッド２０によって用紙１００が押し付けられた状態で、モータによって回転駆動されることにより、用紙収納部１５に収納された用紙１００を引き出して搬送する。モータは、例えばステッピングモータであり、印加される駆動パルスの数に応じて動作する。プラテンローラ１６は、用紙収納部１５に収納された用紙１００を引き出して搬送する搬送部に相当する。
【００１４】
印字ヘッド２０は、例えば、サーマルヘッドである。印字ヘッド２０は、プラテンローラ１６に対向配置されている。印字ヘッド２０は、プラテンローラ１６に対して接離可能に蓋部１１の内面に連結されている。印字ヘッド２０は、プラテンローラ１６に向けて付勢部材であるコイルばね（図示せず）によって付勢されている。コイルばねに付勢された印字ヘッド２０は、当該印字ヘッド２０とプラテンローラ１６との間に介在する用紙１００をプラテンローラ１６に押し付ける。これにより、プラテンローラ１６の搬送力が用紙１００に確実に伝達される。印字ヘッド２０は、一列に配置された複数の発熱素子を有しており、これらの複数の発熱素子に選択的に通電することで発熱素子を発熱させる。この発熱によって、印字ヘッド２０は、プラテンローラ１６に支持されるとともに発熱素子に重ねられた用紙１００に各種の情報を印字する。印字ヘッド２０は、用紙収納部１５から引き出された用紙１００に印字を行う。印字ヘッド２０は、印字部に相当する。
【００１５】
上記構成のプリンタ１に対する用紙１００のセットは、蓋部１１を開いた状態で、用紙１００を用紙収納部１５に落とし込むとともに、用紙１００を排紙口１０ｂに達するまで引き出した後に、蓋部１１を閉じることで行われる。これにより、用紙１００の引出部１００ｂがプラテンローラ１６と印字ヘッド２０とで挟まれた状態となる。
【００１６】
次に、用紙収納部１５について詳細に説明する。
【００１７】
図４および図５に示すように、用紙収納部１５は、本体３１とローラ３２とを有している。本体３１は、上面開口の容器状をなしている。本体３１は、上方から用紙１００のロール部１００ａを受け入れる。用紙収納部１５は、上方から落とし込まれた用紙１００のロール部１００ａを内部空間３１ｂに収納し、収納したロール部１００ａを本体３１とローラ３２とで回転可能に支持する。そして、用紙１００が引き出されてロール部１００ａが反時計回り回転された場合、ロール部１００ａから引き出された引出部１００ｂが、ローラ３２と上部用紙ガイド２１との間を経て前方へ引き出される。本体３１は、第１の筐体１４とともに用紙収納装置５１の基体部５１ａを構成している。
【００１８】
本体３１は、底壁３１ｃと、前壁３１ｄと、後壁３１ｅと、一対の側壁３１ｆと、搬送ガイド部３１ｇと、を有している。前壁３１ｄは、底壁３１ｃの前端部から上方へ延出している。後壁３１ｅは、底壁３１ｃの後端部から上方へ延出している。一対の側壁３１ｆは、底壁３１ｃの一対の側端部から上方へ延出している。搬送ガイド部３１ｇは、前壁３１ｄの上端部から前方へ延出している。内部空間３１ｂは、底壁３１ｃと前壁３１ｄと一対の側壁３１ｆと後壁３１ｅとに囲まれている。
【００１９】
前壁３１ｄは、ロール部１００ａからの用紙引出方向（図中の矢印Ａの方向）での本体３１の下流側壁部であり、プリンタ１の上下方向に略沿って延在している。前壁３１ｄの上端部と搬送ガイド部３１ｇの後端部とに亘って、左右一対の支持部３１ｈ（図面では一方の支持部３１ｈだけが示されている）が設けられている。一対の支持部３１ｈは、左右に間隔をあけて配置されている。一対の支持部３１ｈは、支軸３３を介してローラ３２を回転可能に支持して、当該ローラ３２を前壁３１ｄの上方に位置させている。
【００２０】
底壁３１ｃは、第１の傾斜部（傾斜部、上面、傾斜面）３１ｋを有している。第１の傾斜部３１ｋは、本体３１の底面（内底面）を構成している。第１の傾斜部３１ｋは、ローラ３２よりも下方に位置されて水平方向に対して傾斜している。第１の傾斜部３１ｋは、ロール部１００ａの外周部１００ｄに下方から当接する。第１の傾斜部３１ｋは、ロール部１００ａの外周部１００ｄをローラ３２に当接させる。別の言い方をすると、第１の傾斜部３１ｋは、後壁３１ｅから前壁３１ｄに向かう方向、即ちロール部１００ａからの用紙１００の引き出し方向に下るように傾斜している。したがって、用紙１００には、底壁３１ｃを下る方向、即ち、ローラ３２に向かう方向に転がる力が加わる。第１の傾斜部３１ｋは、前壁３１ｄの下端から後向きに折れ曲がるように前壁３１ｄの下端と連続している。
【００２１】
後壁３１ｅは、後壁３１ｅの後端部から後方斜め上方に延出した第１の壁部３１ｉと第１の壁部３１ｉから略上方に延出した第２の壁部３１ｊとを有している。したがって、後壁３１ｅと前壁３１ｄとの相互の間の間隔は、上方に向かうにしたがい広くなっている。これにより、用紙１００を内部空間３１ｂに投げ込み易くなっている。
【００２２】
本体３１内には、本体３１に用紙１００のロール部１００ａが収納された状態で、前壁３１ｄと底壁３１ｃとロール部１００ａとにより囲まれる部分に空間３１ｘが形成される（図５）。空間３１ｘは、用紙１００に生じたたるみ部１００ｆ（図５，１０−２参照）を収納可能となっている。このように、本体３１は、ローラ３２との間に用紙１００のたるみ部１００ｆを収納可能である。
【００２３】
搬送ガイド部３１ｇは、前壁３１ｄの上端部から前方斜め上方に向けて延出した板状の第１の部分３１ｌと、第１の部分３１ｌから略水平に前方へ延出した板状の第２の部分３１ｍと、を有している。
【００２４】
第２の部分３１ｍの上面には、複数の凸部３１ｎが設けられている。凸部３１ｎは、ガイド部の一例である。凸部３１ｎは、ローラ３２の軸心（回転中心線）３２ｂに沿って複数設けられている。軸心３２ｂは、図５の紙面と直交する方向に沿って延在している。凸部３１ｎは、第２の傾斜部３１ｐと、第２の傾斜部３１ｐと連続して設けられた対向部３１ｑと、を有している。対向部３１ｑは、ローラ３２と対向している。第２の傾斜部３１ｐと対向部３１ｑとの接続部３１ｒは、上方に凸に湾曲している。接続部３１ｒは、凸部３１ｎの上端部を構成している。
【００２５】
第２の傾斜部３１ｐは、ロール部１００ａからの用紙１００の引き出し方向（図５中の矢印Ａの方向、以後、用紙引出方向ともいう）でローラ３２の下流側に設けられている。第２の傾斜部３１ｐは、用紙引出方向での下流側端３１ｓから上流側端３１ｔに向かって上り傾斜に形成されている。別の言い方をすると、第２の傾斜部３１ｐは、ローラ３２に向かって上り傾斜に形成されている。上流側端３１ｔは、ローラ３２の軸心３２ｂよりも上方に位置され、且つローラ３２の上端３２ｃよりも下方に位置されている。第２の傾斜部３１ｐは、引き出された用紙１００と当接可能である。第２の傾斜部３１ｐは、用紙引出方向でのローラ３２の下流側でロール部１００ａへ向けて戻し搬送される用紙１００を、ローラ３２の上方へ向かう方向に案内する。
【００２６】
このような構成の本体３１は、一例として樹脂成形によって形成されており、これにより、第１の傾斜部３１ｋと第２の傾斜部３１ｐとが一体成形されている。
【００２７】
ローラ３２は、用紙収納部１５内に用紙１００のロール部１００ａが収納されている状態において、ロール部１００ａの外周部１００ｄに当接可能である。ローラ３２は、ロール部１００ａの外周部１００ｄに当接し、ロール部１００ａの回転に連れ回りする。別の言い方をすると、ローラ３２は、ロール部１００ａに従動して回転する。用紙１００が引き出されるときにロール部１００ａがローラ３２に当接することで、用紙引出方向へのロール部１００ａの移動が規制されるとともに、用紙１００の跳ね上がりが抑制される。さらに、前壁３１ｄの高さを側壁３１ｆに比べて低くし、当該前壁３１ｄにローラ３２を設けることにより、内部空間３１ｂの前方が広く開放された状態となり、用紙１００の出し入れが容易となっている。図６及び図７に示すように、ローラ３２は、円柱状の基体部３２ｄと、基体部３２ｄを被覆したゴム部材３２ｅとを有している。基体部３２ｄは、一例として比較的重量が重たい金属によって構成されている。このように、基体部３２ｄが比較的重量が重たい金属によって構成されているので、ローラ３２をフライホイールとして機能させることができる。また、ローラ３２は、外周にゴム部材３２ｅが設けられているので、用紙１００との間に作用する摩擦力が比較的大きく、用紙１００との間に滑りが生じるのが抑制される。
【００２８】
図５に示すように、ロール部１００ａの軸心１００ｅがローラ３２の軸心３２ｂよりも下方の位置に位置している場合、ローラ３２は、ロール部１００ａの上部（上半分の部位）に当接する。一方、ローラ３２は、ロール部１００ａの軸心（回転中心線）１００ｅがローラ３２の軸心３２ｂよりも上方の位置にある場合（図示せず）、ロール部１００ａの下部（下半分の部位）に当接する。
【００２９】
また、用紙収納装置５１には、図８、図９−１、図９−２に示すように、駆動部５２が設けられている。駆動部５２は、ロール部１００ａから用紙１００が引き出されるときのローラ３２の連れ回りの回転方向（図５，９−２中の矢印Ｃの方向）へ、ローラ３２を回転させるものである。この連れ回りの回転方向を、以後、正連れ回り方向ともいう。
【００３０】
詳細には、駆動部５２は、第１のギヤ５３と、第２のギヤ５４と、付勢部材５５と、押部材５６と、を有する。
【００３１】
第１のギヤ５３は、ピニオンである。第１のギヤ５３は、基体部５１ａに設けられている。第１のギヤ５３は、ローラ３２が固定された支軸３３に固定されている。したがって、第１のギヤ５３は、ローラ３２と一体となって回転する。
【００３２】
第２のギヤ５４は、ラックである。第２のギヤ５４は、基体部５１ａに設けられている。第２のギヤ５４は、第１のギヤ５３と噛み合う噛合位置（図９−１）と第１のギヤ５３から離間した離間位置（図９−２）との間で移動可能となっている。第２のギヤ５４は、上下方向に移動可能となっている。第２のギヤ５４には当接部５４ａが設けられている。
【００３３】
付勢部材５５は、コイルばねである。付勢部材５５は、基体部５１ａに設けられている。付勢部材５５は、離間位置から噛合位置へ向かう方向に第２のギヤ５４を付勢している。このとき、噛合位置で付勢部材５５に付勢されている第２のギヤ５４は、位置決め部（図示せず）に当接して位置決めされる。なお、付勢部材５５は、コイルばねに限るものではなく、例えば、板ばね等であってもよい。
【００３４】
押部材５６は、棒状に形成されている。押部材５６は、蓋部１１の第２の筐体１８に設けられ、第２の筐体１８から突出している。この押部材５６は、第１の筐体１４に設けられて上下方向に延在した溝状の挿入部１４ａ（図２）に挿脱可能となっている。押部材５６は、蓋部１１の閉動作に伴い付勢部材５５の付勢力に抗して当接部５４ａを押して第２のギヤ５４を噛合位置から離間位置へ移動させる。また、この押部材５６は、用紙１００の側辺をガイドするガイド部としても機能する。これにより、用紙１００の蛇行を抑制することができる。
【００３５】
このような構成の駆動部５２では、蓋部１１が閉められると、押部材５６が、第２のギヤ５４を押して当該第２のギヤ５４を噛合位置から離間位置へ移動させる。この際、第２のギヤ５４が第１のギヤ５３を正連れ回り方向へ回転させ、その後、第２のギヤ５４が第１のギヤ５３から離間する。これにより、蓋部１１が閉められた状態では、ローラ３２が第２のギヤ５４に対して自由に回転可能となる。このように、駆動部５２は、閉位置へ向かう蓋部１１の閉運動に連動して正連れ回り方向へローラ３２を回転させる。駆動部５２は、蓋部１１の閉運動をローラ３２の正連れ回り方向への回転運動に変換する。また、駆動部５２は、蓋部１１が開けられると、押部材５６が第２のギヤ５４から離間して、第２のギヤ５４が付勢部材５５の付勢力によって噛合位置に位置され、第２のギヤ５４が第１のギヤ５３と噛み合う。
【００３６】
以上の構成を有するプリンタ１では、プラテンローラ１６によって用紙１００の引き出し搬送が行われると、ロール部１００ａが第１の方向（図５での反時計回り）に回転する。このとき、ロール部１００ａの下端部は、底壁３１ｃの第１の傾斜部３１ｋに摺動し、ローラ３２は、ロール部１００ａの回転に連れ回りする。ローラ３２は、ロール部１００ａとは逆方向の第２の方向（図５での時計回り）に回転する。このように、本実施形態では、ロール部１００ａの一部をローラ３２が支持しているので、用紙１００の引き出し抵抗を比較的小さくすることができ、用紙１００の引き出しが良好に行われる。
【００３７】
ここで、ロール部１００ａの径が小さくなって、ロール部１００ａがローラ３２ではなく前壁３１ｄに当接した状態では、用紙１００が引き出されてロール部１００ａが回転すると、ロール部１００ａが前壁３１ｄを登って上方位置へ移動することがある。この場合、前壁３１ｄを登ったロール部１００ａはローラ３２に当接し、ローラ３２がロール部１００ａの回転に連れ回りする。これにより、ロール部１００ａの上方への移動が規制され、ロール部１００ａは、一例として、ローラ３２に当接した直後に底壁３１ｃへ落下する。
【００３８】
次に、用紙１００にたるみ部１００ｆが生じた場合に、たるみ部１００ｆが空間３１ｘに収納される様子について図１０−１，１０−２を用いて説明する。
【００３９】
用紙１００の引き出しに伴い、用紙１００にたるみ部１００ｆが生じる場合がある。図１０−１に示すように、たるみ部１００ｆは、ローラ３２の上方とロール部１００ａから引き出される引出部１００ｂとの間に生じやすい。このようにローラ３２の上方と引出部１００ｂとの間に生じたるみ部１００ｆは、ロール部１００ａの回転に連れ回りするローラ３２の回転により、図１０−２に示すように、空間３１ｘの内部に送られ、空間３１ｘに収納される。
【００４０】
このように、本実施形態のプリンタ１においては、用紙１００に生じたたるみ部１００ｆは、一例として、ローラ３２の回転により、引き出される引出部１００ｂから離れた位置に移動されるため、引出部１００ｂの搬送に伴い引出部１００ｂと一緒に搬送されることが抑制され、たるみ部１００ｆによる用紙ジャムの発生を抑制することができる。
【００４１】
また、本実施形態のプリンタ１においては、駆動部５２が、閉位置へ向かう蓋部１１の閉運動に連動して正連れ回り方向へローラ３２を回転させる。これにより、ローラ３２の回転により、用紙１００に生じたたるみ部１００ｆは、図１０−２に示すように、空間３１ｘの内部に送られ、空間３１ｘに収納される。
【００４２】
以上説明したとおり、本実施形態では、駆動部５２が、ロール部１００ａから用紙１００が引き出されるときのローラ３２の連れ回りの回転方向（図５，９−２中の矢印Ｃの方向）へ、ローラ３２を回転させる。したがって、用紙１００に生じたたるみ部１００ｆが、空間３１ｘの内部に送られ、空間３１ｘに収納されるので、用紙ジャムの発生を抑制することができる。
【００４３】
また、本実施形態では、駆動部５２が、閉位置へ向かう蓋部１１の閉運動に連動して正連れ回り方向へローラ３２を回転させる。したがって、用紙１００のセット時に、用紙１００にたるみ部１００ｆが生じても、当該たるみ部１００ｆが空間３１ｘの内部に送られ、空間３１ｘに収納される。即ち、印字搬送動作前に、たるみ部１００ｆが空間３１ｘの内部に送られ、空間３１ｘに収納される。よって、用紙ジャムの発生を抑制することができる。
【００４４】
また、本実施形態では、ローラ３２がフライホイールとして機能する。この場合、ローラ３２は回転すると慣性力により当該回転を維持しようとして、用紙１００の搬送動作が停止した後も慣性力によりしばらく回転し続けるため、用紙１００のたるみ部１００ｆを空間３１ｘにより搬送することができ、たるみ部１００ｆによる用紙ジャムの発生をより抑制することができる。
【００４５】
（第２の実施形態）
本実施形態は、図１１−１，１１−２に示すように、駆動部５２の一部が第１の実施形態と異なる。本実施形態の駆動部５２の第２のギヤ５４は、第１のギヤ５３と噛み合う噛合位置（図１１−１）と第１のギヤ５３から離間した離間位置（図１１−２）との間で、水平方向に沿って移動可能となっている。また、当接部５４ａは、第１のギヤ５３において歯が設けられて前後方向に延在した基部５４ｂの端部で概略上下方向に延在している。また、本実施形態では、開閉ロック部５０のフック５０ａが押部材として機能している。
【００４６】
このような構成の駆動部５２では、蓋部１１が閉められると、フック５０ａが、係合部５０ｂに係合する際に、当接部５４ａを押して第２のギヤ５４を噛合位置から離間位置へ移動させる。この際、第２のギヤ５４が第１のギヤ５３を正連れ回り方向へ回転させ、その後、第２のギヤ５４が第１のギヤ５３から離間する。このように、駆動部５２は、閉位置へ向かう蓋部１１の閉運動に連動して正連れ回り方向へローラ３２を回転させる。駆動部５２は、蓋部１１の閉運動をローラ３２の正連れ回り方向への回転運動に変換する。また、駆動部５２は、蓋部１１が開けられると、フック５０ａが第２のギヤ５４から離間して、第２のギヤ５４が付勢部材５５の付勢力によって噛合位置に位置され、第２のギヤ５４が第１のギヤ５３と噛み合う。
【００４７】
（第３の実施形態）
本実施形態は、図１２に示すように、駆動部５２の一部等が第１の実施形態に対して異なる。駆動部５２は、モータ６０と、モータ６０の駆動力が無端ベルト６７によって伝達されるギヤ６１と、ギヤに噛み合う第１のギヤ５３と、モータ６０を制御する制御部６２と、を有している。
【００４８】
ギヤ６１は、支持部（図示せず）によってモータ６０の回転軸６０ａ周りに（図中矢印Ｄ方向に）回動可能に支持されている。また、ギヤ６１は、制御部６２に接続されたソレノイド等の駆動源（図示せず）によって、回転軸６０ａ周りに回動駆動される。
【００４９】
モータ６０は、ギヤ列６４を介してプラテンローラ１６に連結されており、プラテンローラ１６を駆動する。
【００５０】
制御部６２は、一例としてＣＰＵ、ＲＯＭ、およびＲＡＭを有し、プリンタ１の全体を制御する。制御部６２には、検出センサ６５，６６が接続されている。検出センサ６５は、基体部５１ａの用紙収納部１５にロール部１００ａが収納されたことを検出する。検出センサ６５は、用紙収納部１５に設けられている。検出センサ６６は、例えば、マイクロスイッチや光センサなどである。検出センサ６６は、蓋部１１の開閉状態を検出する。検出センサ６６は、例えば、基体部５１ａに設けられている。検出センサ６６は、例えば、マイクロスイッチなどである。
【００５１】
このような構成において、駆動部５２は、検出センサ６５が蓋部１１は開いていると検出した場合であって、検出センサ６５が基体部５１ａにロール部１００ａが収納されたことを検出したときに、ギヤ６１を第１のギヤ５３に噛み合わせて、モータ６０によってローラ３２を正連れ回り方向に駆動する。これにより、用紙１００のたるみ部１００ｆが、空間３１ｘの内部に送られ、空間３１ｘに収納される。そして、駆動部５２は、検出センサ６６が蓋部１１が閉じられたことを検出した場合、ローラ３２の駆動を停止し、ギヤ６１を第１のギヤ５３から離間させる。これにより、用紙１００の搬送の際に、ローラ３２を駆動せずに、プラテンローラ１６を駆動することができる。なお、第１のギヤ５３と支軸３３との間には、トルクリミッタが設けられている。これにより、過剰なトルクが支軸３３に作用することが抑制される。
【００５２】
（第４の実施形態）
本実施形態は、図１３に示すように、ローラ３２の基体部３２ｄの形状が上記各実施形態に対して異なる。本実形態の基体部３２ｄは、ローラ３２の回転軸に対し垂直な面における断面形状がスポーク状になっている。詳細には、ローラ３２には、内周部と外周部（リム）との間に、内周部から半径方向に放射状に伸びる複数のスポーク３２ｆが設けられている。スポーク３２ｆ同士の間には、空間３２ｇが形成される。
【００５３】
このように、ローラ３２をスポーク状とすることで、外周部に重量を集中させるとともに、ローラ３２を軽量化することができる。これにより、ローラ３２のフライホイールとしての効果と軽量化とを両立させることができる。
【００５４】
以上説明したとおり、上記の各実施形態によれば、用紙ジャムの発生を抑制することができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
例えば、上述した実施形態においては、支持部３１ｈが前壁３１ｄに設けられた例を示したが、支持部３１ｈは、側壁３１ｆに設けられていてもよい。
【００５７】
また、上述した実施形態においては、用紙１００として、印字面が外側を向いた外巻きのものを用いたが、これに限るものではなく、用紙１００としては、印字面が内側を向いた内巻きのものであってもよい。また、上述した実施形態においては、用紙１００として、ミシン目１００ｃが設けられたものを用いたが、これに限るものではなく、用紙１００としては、ミシン目１００ｃが設けられていない長尺状の用紙であってもよい。また、用紙１００としては、長尺状の台紙にラベルが貼り付けられたラベル用紙であってもよい。
【符号の説明】
【００５８】
１…プリンタ、１１…蓋部、２０…印字ヘッド（印字部）、３１ｋ…第１の傾斜部（傾斜部）、３２…ローラ、３３…支軸、５１…用紙収納装置、５１ａ…基体部、５２…駆動部、５３…第１のギヤ、５４…第２のギヤ、５４ａ…当接部、５５…付勢部材、５６…押部材、６５…検出センサ、１００…用紙、１００ａ…ロール部、１００ｄ…外周部。
【先行技術文献】
【特許文献】
【００５９】
【特許文献１】特開２０１０−６４３００号公報
【図１】
0005557864.tif 000002
【図２】
0005557864.tif 000003
【図３】
0005557864.tif 000004
【図４】
0005557864.tif 000005
【図５】
0005557864.tif 000006
【図６】
0005557864.tif 000007
【図７】
0005557864.tif 000008
【図８】
0005557864.tif 000009
【図９−１】
0005557864.tif 000010
【図９−２】
0005557864.tif 000011
【図１０−１】
0005557864.tif 000012
【図１０−２】
0005557864.tif 000013
【図１１−１】
0005557864.tif 000014
【図１１−２】
0005557864.tif 000015
【図１２】
0005557864.tif 000016
【図１３】
0005557864.tif 000017